(57)【要約】【課題】着用した際、額部分への圧迫感をなくして、額部分が擦れることのない装着感の良いキャップを提供する。【解決手段】本キャップ１は、つば部３に、外方つば部３ａの弧状に延びる凹部１２の内側に位置し、細三日月状で弾力性及び柔軟性に富む内方つば部３ｂが設けられているので、本キャップ１を着用すると、内方つば部３ｂが額部分に当るために、額部分への圧迫感がなくなり、しかも、本キャップ１を頻繁に着脱したり、長時間着用しても、額部分が擦れることがなく、使用者にとって装着感が非常に良く快適となる。【選択図】図２
0003132413.tif 000002
【実用新案登録請求の範囲】
【請求項１】
頭部を覆う帽子本体の周縁に三日月状のつば部を取り付けてなるキャップであって、
前記つば部は、三日月状で硬質の外方つば部と、
該外方つば部の弧状に延びる凹部の内側に位置し、弾力性及び柔軟性に富む細三日月状の内方つば部と、
からなることを特徴とするキャップ。
【請求項２】
前記外方つば部の前記凹部の両端は、前記帽子本体の周縁部に隣接しており、前記内方つば部には、スポンジまたはフェルトの弾力性部材が採用されることを特徴とする請求項１に記載のキャップ。
【考案の詳細な説明】
【技術分野】
【０００１】
本考案は、頭部を覆う帽子本体と、該帽子本体の前部の周縁に取り付けられた三日月状のつば部とからなるキャップに関するものである。
【背景技術】
【０００２】
一般に、キャップは、頭部を覆う帽子本体の前部の周縁から三日月状のつば部が突設されて構成される。つば部は、通常、帽子本体の形状を保持するために、硬質の芯材が外装用の布地により縫い込まれて構成されている。
しかしながら、従来のキャップではそのつば部に硬質の芯材が採用されているために、この従来のキャップを着用すると、つば部の芯材の、帽子本体との繋ぎ部分における周縁部が使用者の額部分に当って、該額部分を圧迫するようになる。このために、この圧迫感を無くすために帽子本体の開口サイズを広くすると、今度はゆるみが出てしまい装着感が非常に悪かった。しかも、キャップを頻繁に着脱したり、長時間着用すると、芯材により額部分が擦れてしまい、使用者にとって装着感が非常に悪く不快であった。
【０００３】
そこで、キャップのつば部が工夫された従来技術として特許文献１には、つば部の芯材に可撓性芯材を用いて、つば部を折り曲げ形状を可変すると共に、つば部の周囲に折り曲げ可能で保形性の線材を沿わせて設け、この線材でつば部の折り曲げ形状を保形するようにした帽子が開示されている。
【特許文献１】特開２００２−２８５４２４号公報
【考案の開示】
【考案が解決しようとする課題】
【０００４】
上述した特許文献１に開示された帽子は、つば部の芯材に、折り曲げ形状を可変するために可撓性芯材を用い、その折り曲げ形状を保形するために、つば部の周囲に線材を沿わせ、つば部を好みや状況に応じた形状に変化させることが可能となるが、この可撓性芯材では、単に折り曲げにより形状を変化させることは簡易であるが、着用した際の額部分への圧迫感を改善できるものではない。
【０００５】
本考案は、かかる点に鑑みてなされたものであり、着用した際、額部分への圧迫感をなくして、額部分が擦れることのない装着感の良いキャップを提供することを目的とする。
【課題を解決するための手段】
【０００６】
本考案は、上記課題を解決するための手段として、請求項１に記載した考案は、頭部を覆う帽子本体の周縁に三日月状のつば部を取り付けてなるキャップであって、前記つば部は、三日月状で硬質の外方つば部と、該外方つば部の弧状に延びる凹部の内側に位置し、弾力性及び柔軟性に富む細三日月状の内方つば部と、からなることを特徴とするものである。
このように構成することにより、このキャップを着用した際、額部分には弾力性及び柔軟性に富む細三日月状の内方つば部が当るので圧迫感がなく、しかも、キャップを頻繁に着脱したり、長時間着用しても、額部分が擦れることがない。
【０００７】
請求項２に記載した考案は、請求項１に記載した考案において、前記外方つば部の前記凹部の両端は、前記帽子本体の周縁部に隣接しており、前記内方つば部には、スポンジまたはフェルトの弾力性部材が採用されることを特徴とするものである。
このように構成することにより、外方つば部の内周縁で、弧状に延びる凹部の両端を帽子本体の周縁部に隣接させることにより、外方つば部が垂れ下がることを防止し、帽子本体の形状を保持することができる。また、内方つば部は、弾力性や柔軟性などを考慮してその材料が適宜選択される。
【考案の効果】
【０００８】
本考案によれば、つば部に、硬質の三日月状に形成された外方つば部の内周縁で弧状に延びる凹部の内側の位置に、弾力性及び柔軟性に富む細三日月状の内方つば部を配置したので、該キャップを着用した際に、内方つば部が額部分に当るために額部分への圧迫感がなく、装着感が非常に良い。しかも、キャップを頻繁に着脱したり、長時間着用しても、額部分が擦れることがなく快適である。
【考案を実施するための最良の形態】
【０００９】
以下、本考案を実施するための最良の形態を図１及び図２に基いて詳細に説明する。
本考案の実施の形態に係るキャップ１は、図１に示すように、頭部を覆う帽子本体２と、該帽子本体２の前部の周縁から前方に突設する三日月状のつば部３とから構成されている。
帽子本体２は、図１に示すように、従来技術と同様に、適当な大きさに裁断された布状の素材を縫い付けることで形成される。この際、例えば、適当な数のステッチ４、４を設けるなどして、帽子本体２の形崩れを防ぎ、耐久性を持たせるようにしている。素材には、通気性等が考慮されながらメッシュ材等が採用される。また、図２に示すように、帽子本体２の全周縁には、内周面に沿う環状のびんがわ５が縫着されている。
【００１０】
つば部３は、図１及び図２に示すように、外方に位置し、外周縁及び内周縁（凹部１２）が共に弧状に延びる三日月状に形成された硬質の外方つば部３ａと、該外方つば部３ａの内周縁の凹部１２の内側に位置し、外周縁及び内周縁が共に弧状に延びる細三日月状に形成され、弾力性及び柔軟性に富む内方つば部３ｂとから構成されている。
【００１１】
外方つば部３ａには、内周縁に弧状の凹部１２が形成される三日月状で硬質の芯材８が採用され、この芯材８は、帽子本体２の形状を保持する目的等から、厚い布を重ねて縫製したものや合成樹脂板、板紙等で形成された硬質のものが採用される。
内方つば部３ｂには、外方つば部３ａの芯材８の厚みよりも若干厚みがあり、上面視で帽子本体２の後方に向かって両端が次第に細くなるような細三日月状で、弾力性及び柔軟性に富む弾力性部材７が採用されている。この弾力性材料７は、スポンジまたはフェルト等で構成されており、吸水性を有するものであればさらに良い。
【００１２】
そして、外方つば部３ａは、芯材８の上下に外装用の布地１０、１１が重ねられて、芯材８と上下の布地１０、１１とが縫着されると共に、芯材８の凹部１２の両端１２ａ、１２ａが、上下の布地１０、１１と共に帽子本体２の周縁部の対応する布地及びびんがわ５と縫着される。
また、外方つば部３ａと内方つば部３ｂとの境界部分は、上下の布地１０、１１が縫着される。
さらに、内方つば部３ｂは、上下の外装用の布地１０、１１により弾力性部材７を包むようにして、上下の布地１０、１１の各端部と、帽子本体２の前部の周縁の対応する布地及びびんがわ５とが縫着される。
【００１３】
以上説明したように、本考案の実施の形態に係るキャップ１では、つば部３に、外方つば部３ａの内周縁で、弧状に延びる凹部１２の内側に位置し、細三日月状で弾力性及び柔軟性に富む内方つば部３ｂが設けられているので、本キャップ１を着用すると、内方つば部３ｂが額部分に当るために、額部分への圧迫感がなくなり、しかも、本キャップ１を頻繁に着脱したり、長時間着用しても、額部分が擦れることがなく、使用者にとって装着感が非常に良く快適となる。
【図面の簡単な説明】
【００１４】
【図１】図１は、本考案の実施の形態に係るキャップの斜視図である。
【図２】図２は、図１のＡ−Ａ線に沿う断面図である。
【符号の説明】
【００１５】
１  キャップ，２  帽子本体，３  つば部，３ａ  外方つば部，３ｂ  内方つば部，７  弾力性部材，８  芯材，１０、１１  布地，１２  凹部，１２ａ  両端
【図１】
0003132413.tif 000003
【図２】
0003132413.tif 000004